(57)【要約】【課題】シートカバーの端部に取付けられているフック部材を、比較的シンプルな構成によって、シートフレームの周縁に位置決めしつつ係止しておくことにある。【解決手段】シートフレーム（１０）には、シートフレーム（１０）の周縁を着座面側に向けて部分的に切欠くことで形成された切欠き部（２０）が設けられており、シートフレーム（１０）の周縁一部にフック部材（４０）を係止した状態を基準として、フック部材（４０）には、シートフレーム（１０）側に突出する突出部（４４）が設けられているとともに、突出部（４４）は、シートフレーム（１０）の周縁の延びる方向において切欠き部（２０）の縁（２０ｂ）に係合可能に配置されている。【選択図】図９
2020137936.tif 000002
【特許請求の範囲】
【請求項１】
シート骨格をなすシートフレームと、前記シートフレームの着座面側を被覆するシートカバーとを備え、前記シートカバーの端部に取付けられているフック部材が、前記シートフレームの周縁に位置決めされて係止されている乗物用シートにおいて、
前記シートフレームには、前記シートフレームの周縁を着座面側に向けて部分的に切欠くことで形成された切欠き部が設けられており、
前記シートフレームの周縁一部に前記フック部材を係止した状態を基準として、前記フック部材には、シートフレーム側に突出する突出部が設けられているとともに、前記突出部は、前記シートフレームの周縁の延びる方向において前記切欠き部の縁に係合可能に配置されている乗物用シート。
【請求項２】
前記フック部材は、断面Ｊ字をなすように曲げ返された板材であって、その曲げ返し部分をなす一対の板部の間に、前記シートフレームの周縁が配置された状態で係止されており、
前記一対の板部は、互いに離れる向きに撓み変形可能とされているとともに、前記一対の板部のうちで剛性の低い一方には、その撓み変形の際に持ち手として利用可能な状態で前記突出部が設けられている請求項１に記載の乗物用シート。
【請求項３】
前記シートフレームには、前記シートフレームの周縁の延びる方向における一端側に配置する第一の切欠き部と、前記一端側とは反対の他端側に配置する第二の切欠き部とが設けられており、
前記シートカバーには、各切欠き部に対応するように一対のフック部材が取付けられているとともに、前記一対のフック部材の一方に設けられた突出部が前記第一の切欠き部の縁に係合され、前記一対のフック部材の他方に設けられた突出部が前記第二の切欠き部の縁に係合されている請求項１又は２に記載の乗物用シート。
【請求項４】
前記シートフレームは、着座面側から見た平面視において部分的に曲げ変形していることにより、前記シートフレームの周縁の延びる方向において中央をなす一般領域と、前記シートフレームの周縁の延びる方向において端部をなす曲げ領域とに区分けされ、前記曲げ領域は、前記一般領域から弓なりに曲がっているとともに、前記曲げ領域の中央領域側の部分に前記切欠き部が形成されており、
平面視において直線状の前記フック部材は、断面Ｊ字をなすように曲げ返された板材であって、その曲げ返し部分に、前記シートフレームの周縁が配置された状態で係止可能であり、
前記曲げ領域の延長方向における端部に前記フック部材を係止した状態において、前記切欠き部の形成された前記シートフレームの周縁部分が、前記フック部材の曲げ返し部分から前記突出部に向かう方向に曲がっていることにより、前記切欠き部の中央領域側の縁に前記突出部が当接可能な位置に配置されている請求項１〜３のいずれか一項に記載の乗物用シート。
【請求項５】
前記乗物用シートの座部となるシートクッションは、前記シートフレームの前部をなしてシート幅方向に延びるフロントフレームと、前記フロントフレームの下周縁に形成された前記切欠き部とを有し、
前記フロントフレームの下周縁一部に前記フック部材を係止した状態を基準として、前記フック部材には、フロントフレーム側に突出する前記突出部が設けられているとともに、前記突出部は、前記フロントフレームの下周縁の延びる方向において前記切欠き部の縁に係合可能に配置されている請求項１〜４のいずれか一項に記載の乗物用シート。
【発明の詳細な説明】
【技術分野】
【０００１】
本発明は、シート骨格をなすシートフレームと、シートフレームを被覆しているシートカバーとを備え、シートカバーの端部が、フック部材を介してシートフレームの周縁に係止されている乗物用シートに関する。
【背景技術】
【０００２】
この種の乗物用シートでは、シートの着座面側がシートカバーで被覆され、このシートカバーによってシートの意匠面が構成されている。そしてシートカバーは、見栄え等を考慮して適度に張った状態とされ、この仕上がり性を安定化させるためにシートカバーの端部がフック部材にてシートフレームの周縁に係止されている。例えば特許文献１に開示の自動車用座席シートでは、座部となるシートクッションが、基本構成として、本発明のシートフレームに相当するクッションパンと、本発明のシートカバーに相当するトリムカバーとを備えている。クッションパンは、シート骨格をなす概ね矩形の枠体であり、その上方にはパッドが配置されている。そしてクッションパンの前部は、シート幅方向（左右方向）に延びているとともに、適宜の間隔をあけて三対の係止爪が設けられている。これら三対の係止爪は、それぞれクッションパンの前面一部を上方且後方に向けて切り起こすことで形成された板状部位であり、一部の係止爪は後方への突出量が相対的に大きくなっている。すなわち中央に配置する係止爪は、フック部材の位置決め用の部位であり、その両側に配置する他の係止爪に比して相対的に後方に大きく突出している。
【０００３】
またトリムカバーは、クッションパン及びその上側に配置されたパッドを覆う袋状の面材であり、トリムカバーの下端部にはフック部材が縫合されて取付けられている。そしてフック部材は、トリムカバーの下端部に縫合された断面Ｊ字状の平板材であり、クッションパンの前部を概ね網羅する長さ寸法を有してシート幅方向に延長している。このフック部材は、先端の曲げ返し部分で他の係止爪に係止可能とされているとともに、位置決め用の係止爪に対峙する部分には可撓部が設けられている。この可撓部は、フック部材の先端から下方に延びる左右一対のスリットにて囲まれている部分であり、後方に向けて大きく撓み変形することができる。そしてトリムカバーによってクッションパン等を覆いつつ、トリムカバーの下端部を、クッションパンの下方からその後側に回り込ませる。つぎにフック部材の曲げ返し部分をクッションパンの他の係止爪の上縁側に係止しておくことで、シートカバーを、適度に張った状態として仕上がり性良く配置することができる。このとき位置決め用の係止爪は、フック部材の可撓部が後方に撓み変形することで、他の係止爪よりも後方に配置される。こうして位置決め用の係止爪を後方に配置することで、他の係止爪に係止されたフック部材部分がシート幅方向（左右方向）に移動しようとしても、その移動が位置決め用の係止爪にて阻止されることとなる。
【先行技術文献】
【特許文献】
【０００４】
【特許文献１】特許第５２７２１８７号公報
【発明の概要】
【発明が解決しようとする課題】
【０００５】
ところで上述のシート構成では、製造コストの低減等の観点から、フック部材の位置決め用の構成を極力シンプル化したいとの要請があり、特にシートの基本構成となるシートフレームの構造が過度に複雑化しないことが望まれる。しかし公知技術の構成では、位置決め用の係止部を設ける必要上、クッションパン（シートフレーム）の一部を切り起こし、さらに後方に大きく突出させるように加工している。このため公知技術の構成は、シートクッションの構成をシンプル化するには不向きの構成であり、加工に伴う製造コストの増加を考慮すると、すんなり採用できる構成ではなかった。本発明は上述の点に鑑みて創案されたものであり、本発明が解決しようとする課題は、シートカバーの端部に取付けられているフック部材を、比較的シンプルな構成によって、シートフレームの周縁に位置決めしつつ係止しておくことにある。
【課題を解決するための手段】
【０００６】
上記課題を解決するための手段として、第１発明の乗物用シートは、シート骨格をなすシートフレームと、シートフレームの着座面側を被覆するシートカバーとを備えている。そしてシートカバーの端部に取付けられているフック部材が、シートフレームの周縁に位置決めされて係止されている。この種のシート構成では、フック部材を、比較的シンプルな構成によって、シートフレームの周縁に位置決めしつつ係止できることが望ましい。
【０００７】
そこで本発明のシートフレームには、シートフレームの周縁を着座面側に向けて部分的に切欠くことで形成された切欠き部が設けられている。そしてシートフレームの周縁一部にフック部材を係止した状態を基準として、フック部材には、シートフレーム側に突出する突出部が設けられているとともに、突出部は、シートフレームの周縁の延びる方向において切欠き部の縁に係合可能に配置されている。本発明では、シートフレームにフック部材を係止して、フック部材の突出部を切欠き部の縁に係合可能な状態で配置することにより、シートフレームに対するフック部材の位置決めがなされる。こうして本発明では、比較的構成がシンプルな切欠き部を利用してフック部材の位置決めがなされるため、シートフレームの構成を極力シンプル化することができる。
【０００８】
第２発明の乗物用シートは、第１発明の乗物用シートにおいて、フック部材は、断面Ｊ字をなすように曲げ返された板材であって、その曲げ返し部分をなす一対の板部の間に、シートフレームの周縁が配置された状態で係止されている。そして一対の板部は、互いに離れる向きに撓み変形可能とされているとともに、一対の板部のうちで剛性の低い一方には、その撓み変形の際に持ち手として利用可能な状態で突出部が設けられている。本発明では、突出部を持ち手として一対の板部を離間させることにより、シートフレームの周縁からフック部材を係脱可能な構成となっている。そして相対的に剛性が低く撓みやすい一方の板部に突出部を設けたことで、この一方の板部をスムーズに撓ませて他方の板部から離間させることができる。
【０００９】
第３発明の乗物用シートは、第１発明又は第２発明の乗物用シートにおいて、シートフレームには、シートフレームの周縁の延びる方向における一端側に配置する第一の切欠き部と、一端側とは反対の他端側に配置する第二の切欠き部とが設けられている。そしてシートカバーには、各切欠き部に対応するように一対のフック部材が取付けられているとともに、一対のフック部材の一方に設けられた突出部が第一の切欠き部の縁に係合され、一対のフック部材の他方に設けられた突出部が第二の切欠き部の縁に係合されている。本発明では、シートフレームの両端に切欠き部をそれぞれ設け、各切欠き部に、シートカバーの対応するフック部材が係止されて位置決めされている。このようにシートカバーを、対応するフック部材にてシートフレームの両端に位置決めしておくことで、両フック部材の間に配置されたシートカバーの中央部分に適度なテンションをかけておくことが可能となり、仕上がり性の向上に資する構成となっている。
【００１０】
第４発明の乗物用シートは、第１発明〜第３発明のいずれかの乗物用シートにおいて、シートフレームは、着座面側から見た平面視において部分的に曲げ変形していることにより、シートフレームの周縁の延びる方向において中央をなす一般領域と、シートフレームの周縁の延びる方向において端部をなす曲げ領域とに区分けされている。また曲げ領域は、一般領域から弓なりに曲がっているとともに、曲げ領域の中央領域側の部分に切欠き部が形成されている。また平面視において直線状のフック部材は、断面Ｊ字をなすように曲げ返された板材であって、その曲げ返し部分に、シートフレームの周縁が配置された状態で係止可能である。そして曲げ領域の延長方向における端部にフック部材を係止した状態において、切欠き部の形成されたシートフレームの周縁部分が、フック部材の曲げ返し部分から突出部に向かう方向に曲がっていることにより、切欠き部の中央領域側の縁に突出部が当接可能な位置に配置されている。本発明では、シートフレームの曲げ領域に切欠き部が設けられ、この切欠き部は、フック部材の曲げ返し部分から突出部に向かう方向に曲がっている。そしてフック部材の突出部を、シートフレームの曲がりを利用して切欠き部の中央領域側の縁に当接可能に配置することで、切欠き部と突出部をより確実に係合させることが可能となっている。
【００１１】
第５発明の乗物用シートは、第１発明〜第４発明のいずれかの乗物用シートにおいて、乗物用シートの座部となるシートクッションは、シートフレームの前部をなしてシート幅方向に延びるフロントフレームと、フロントフレームの下周縁に形成された切欠き部とを有している。そしてフロントフレームの下周縁一部にフック部材を係止した状態を基準として、フック部材には、フロントフレーム側に突出する突出部が設けられているとともに、突出部は、フロントフレームの下周縁の延びる方向において切欠き部の縁に係合可能に配置されている。本発明のシートクッションでは、フロントフレームに、比較的構成がシンプルな切欠き部を設け、この切欠き部を利用してフック部材の位置決めがなされるため、フロントフレームの構成のシンプル化に資する構成となっている。
【発明の効果】
【００１２】
本発明に係る第１発明によれば、シートカバーの端部に取付けられているフック部材を、比較的シンプルな構成によって、シートフレームの周縁に位置決めしつつ係止しておくことができる。また第２発明によれば、フック部材を、比較的スムーズに係脱可能な状態で、シートフレームの周縁に位置決めしつつ係止しておくことができる。また第３発明によれば、シートカバーの優れた仕上がり性を確保しつつ、フック部材を、シートフレームの周縁に位置決めしつつ係止しておくことができる。また第４発明によれば、フック部材を、シートフレームの周縁により確実に位置決めしつつ係止しておくことができる。そして第５発明によれば、シートクッションにおいて、フック部材を、比較的シンプルな構成によって、フロントフレームの周縁に位置決めしつつ係止しておくことができる。
【図面の簡単な説明】
【００１３】
【図１】乗物用シートの概略斜視図である。
【図２】シートクッションの概略透視上面図である。
【図３】シートカバーとフック部材の概略断面図である。
【図４】シートクッションの概略透視前面図である。
【図５】フック部材を係止する前のフロントフレームの前面図である。
【図６】フック部材の斜視図である。
【図７】フック部材を係止したシートフレームの拡大前面図である。
【図８】フック部材を係止したシートフレームの拡大裏面図である。
【図９】図７のＩＸ−ＩＸ線断面図である。
【図１０】図９のＸ−Ｘ線断面図である。
【図１１】図９のＸＩ−ＸＩ線断面図である。
【図１２】変形例１のフック部材の側面図である。
【図１３】変形例２のフック部材の分解側面図である。
【発明を実施するための形態】
【００１４】
以下、本発明を実施するための形態を、図１〜図１３を参照して説明する。各図には、便宜上、乗物用シートの前後方向と左右方向と上下方向を示す矢線を適宜図示する。図１の乗物用シート２は、シートクッション４と、シートバック６と、ヘッドレスト８を有する。これらシート構成部材は、各々、シート骨格をなすシートフレーム（４Ｆ，６Ｆ，８Ｆ）と、シート外形をなすシートパッド（４Ｐ，６Ｐ，８Ｐ）と、シートパッドを被覆するシートカバー（４Ｓ，６Ｓ，８Ｓ）を有する。そしてシートクッション４（詳細後述）の後部にシートバック６の下部が起倒可能に連結されているとともに、起立状態のシートバック６の上部にヘッドレスト８が配設されている。
【００１５】
［シートクッション］
シートクッション４は、座部となる上方視で概ね矩形の部材であり、図１及び図２を参照して、上述の基本構成（４Ｆ，４Ｐ，４Ｓ）と、シートカバー４Ｓの付属部材である左右一対のフック部材４０，５０を有している。このシートクッション４では、シートフレーム４Ｆ上にシートパッド４Ｐが配置され、さらにこれらの着座面（各図の上面）がシートカバー４Ｓで被覆されている。そしてシートカバー４Ｓの下端部が、優れた仕上がり性を確保する観点から、後述する各フック部材４０，５０を介してシートフレーム４Ｆの周縁一部に位置決めされて係止される。この種のシート構成では、各フック部材４０，５０の位置決め用の構成を極力シンプル化したいとの要請があり、とりわけ基本構成となるシートフレーム４Ｆの構成が過度に複雑化しないことが望まれる。そこで本実施例では、シートカバー４Ｓの下端部に取付けられた各フック部材４０，５０を、後述のシンプルな構成（各切欠き部２０，３０、各突出部４４，５４）にて、シートフレーム４Ｆの周縁に位置決めしつつ係止しておくこととした。以下、各構成について詳述する。
【００１６】
［基本構成］
ここで図２を参照して、シートパッド４Ｐは、シート外形をなす上面視で略矩形の部材であり、ポリウレタンフォーム（密度：１０ｋｇ／ｍ3〜６０ｋｇ／ｍ3）等の発泡樹脂で形成されている。またシートカバー４Ｓは、シートの意匠面を構成する面材であり、天然繊維又は合成繊維からなる布帛（織物，編物，不織布）や皮革（天然皮革，合成皮革）等にて形成されている。このシートカバー４Ｓは、図３に示すように複数の表皮ピースを縫合することで形成されているとともに、シートフレーム４Ｆとシートパッド４Ｐの着座面（上面）から周縁にかけての部分を被覆することができる。そして図３及び図４に示すシートカバー４Ｓの前側は、後述するシートフレーム４Ｆのフロントフレーム１０を被覆する部分であり、その下縁部分には、後述する左右一対のフック部材４０，５０が取付けられている。なおシートカバー４Ｓの下端部の適宜の箇所にはＪフックＦＭが取付けられている（図３では、便宜上、一つのＪフックのみ図示する）。そしてＪフックＦＭは、シートフレーム４Ｆの適宜の箇所に係止でき、例えば図３に示す後部側のＪフックＦＭは、図２に示すシートフレーム４Ｆの後部側に係止可能である。
【００１７】
［シートフレーム］
また図２及び図４に示すシートフレーム４Ｆは、上方視で概ね矩形の枠体であり、剛性に優れる金属や硬質樹脂で形成されている。このシートフレーム４Ｆは、前部骨格をなすフロントフレーム１０（詳細後述）と、側部骨格をなす左右一対のサイドフレーム１１，１２と、後部骨格をなすリアフレーム１３を有している。ここでシートフレーム４Ｆの枠内には、図示しないＳバネや面材などの支持部材が張り渡されており、この支持部材によってシートパッド４Ｐが下支えされている。そして右側のサイドフレーム１１と左側のサイドフレーム１２は、それぞれ前後方向に延びる平板状の部材であり、左右に適宜の間隔をあけて対面状に配置されている。これら各サイドフレーム１１，１２の前端側は、後述のフロントフレーム１０の右左端側にそれぞれ溶接や締結などの手法で固定されている。またリアフレーム１３は、各サイドフレーム１１，１２の後部側に掛け渡されて固定されているパイプ状の部材である。
【００１８】
［フロントフレーム］
また図２、図４及び図５に示すフロントフレーム１０は、概ねシート幅方向である左右方向に延びる板材であり、後述する左右一対の切欠き部２０，３０を有している。このフロントフレーム１０は、断面視で概ね逆Ｌ字状に形成され、上面となる上面部１０ａと、前面となる前面部１０ｂ（係止部位１０ｃ）とで構成されている。そしてフロントフレーム１０は、図２に示すように着座面側から見た平面視（上面視）においてシート幅方向の端部側が弓なりに曲げられており、シート幅方向の中央をなす一般領域Ａ１と、右端部をなす右側曲げ領域Ａ２と、左端部をなす左側曲げ領域Ａ３とに区分けすることができる。
【００１９】
［一般領域、曲げ領域］
図２、図４及び図５に示す一般領域Ａ１は、左右方向に概ね直線的に延びている部位であり、各曲げ領域Ａ２，Ａ３よりも左右の長さ寸法が大きくなっている。また右側曲げ領域Ａ２は、一般領域Ａ１の右端に一体的に設けられた領域であり、平面視（上面視）において右側に向かうにつれて次第に後方に向けて弓なりに湾曲している。また左側曲げ領域Ａ３は、一般領域Ａ１の左端に一体的に設けられた領域であり、平面視において左側に向かうにつれて次第に後方に向けて弓なりに湾曲している。そして各曲げ領域Ａ２（Ａ３）の上下の高さ寸法は、一般領域Ａ１に対して一段高くなっており、各曲げ領域Ａ２（Ａ３）の後端側の内部に、対応するサイドフレーム１１（１２）を配置して固定しておくことができる。また一般領域Ａ１の下縁部と、各曲げ領域Ａ２，Ａ３の下縁部（後述の切欠き部を除く部分）には係止部位１０ｃが設けられており、この係止部位１０ｃは、対応する前面部１０ｂの下縁部を上方且つ前方に曲げ返すことで形成されている。
【００２０】
［切欠き部］
そして図５を参照して、左右一対の切欠き部（右側切欠き部２０，左側切欠き部３０）は、各々、対応するフック部材４０，５０（詳細後述）を位置決めする箇所であり、フロントフレーム１０の下周縁に設けられている。本実施例では、一対の切欠き部２０（３０）が、左右対称となるように対応する曲げ領域Ａ２（Ａ３）に形成されているため、以下に、右側曲げ領域Ａ２に形成された右側切欠き部２０を一例にその詳細を説明する。図５に示す右側曲げ領域Ａ２の一般領域側（前側）の部分には右側切欠き部２０が設けられている。この右側切欠き部２０は、右側曲げ領域Ａ２の前面部１０ｂの下周縁を着座側（図５の上側）に向けて部分的に切欠くことで形成されている。そして右側切欠き部２０は、前面視において矩形状に形成されており、右側曲げ領域Ａ２に沿って延びている上縁部２０ａと、上縁部２０ａの前端から下方に延びている前縁部２０ｂと、上縁部２０ａの後端から下方に延びている後縁部２０ｃとで囲まれている。また左側曲げ領域Ａ３に形成された左側切欠き部３０も、前面視において矩形状に形成されており、別の上縁部３０ａと、別の前縁部３０ｂと、別の後縁部３０ｃとで囲まれている。そして本実施例では、右側切欠き部２０が、本発明の第一の切欠き部に相当し、シートフレームの周縁の延びる方向における一端側である右端側に配置されている。また左側切欠き部３０が、本発明の第二の切欠き部に相当し、一端側とは反対の他端側である左端側に配置されている。そして各切欠き部２０（３０）の対応する前縁部２０ｂ（３０ｂ）が、本発明の切欠き部の一般領域側の縁に相当する。
【００２１】
そして本実施例では、図５に示す右側曲げ領域Ａ２の下周縁が、右側切欠き部２０にて前後に分割されている。すなわち右側曲げ領域Ａ２の下周縁は、右側切欠き部２０の前側の右前部Ａ２１と、右側切欠き部２０の後側の右後部Ａ２２と、両部Ａ２１，Ａ２２の間に形成された右中央部Ａ２３とに区分けされる。そして右前部Ａ２１と右後部Ａ２２とにはそれぞれ係止部位１０ｃが形成されているとともに、右後部Ａ２２が、本発明の曲げ領域の延長方向における端部に相当して、後述の右フック部材４０を係止する箇所となっている。なお右後部Ａ２２の後端側は、後方に向かうにつれて次第に上側に向けて切欠かれている。また右中央部Ａ２３は、本発明の切欠き部の形成されたシートフレームの周縁部分に相当し、右側切欠き部２０にてその他の部Ａ２１，Ａ２２よりも着座側に凹状とされている。また左側曲げ領域Ａ３も、左前部Ａ３１と、左後部Ａ３２と、左中央部Ａ３３に分けられている。
【００２２】
ここで図５に示すフロントフレーム１０では、各切欠き部２０，３０に相当する位置に別の目的の切欠き部が予め形成されていることがある。このような場合には、別の目的で使用される切欠き部を、本実施例の各切欠き部２０，３０として使用することが可能であり、フロントフレーム１０の従来構成を概ねそのまま利用することができる。例えば別の目的の切欠き部として、図３に示すＪフックＦＭを、フロントフレーム１０に沿わせて曲げやすくするための切欠き部や、図示しないブラケットを装着するための切欠き部を想定できる。
【００２３】
［フック部材］
図４及び図５に示す左右一対のフック部材（右フック部材４０，左フック部材５０）は、それぞれフロントフレーム１０の下周縁に係止可能な部材であり、シートカバー４Ｓの適宜の位置に取付けられている。ここで各フック部材４０，５０の基本的な構成は概ね同一であるため、右フック部材４０を一例にその詳細を説明する。図６に示す右フック部材４０は、自由状態において平面視（上面視）で直線状に延びる板状の部材であり、後述するように、一対の板部４１，４２と、突出部４４とを有している。ここで右フック部材４０は、適度な剛性を有して撓み変形可能な素材で構成することができる。この種の素材として、ポリエチレンやポリプロピレンなどの樹脂やエラストマを用いることができ、剛性確保の観点などから少なくとも一部に金属を使用することも可能である。そして右フック部材４０の長尺方向である前後の寸法は、図４に示すフロントフレーム１０の全長に比して短寸とされており、フロントフレーム１０の下周縁の一部に係止しておくことができる。例えば本実施例の右フック部材４０は、図４及び図５に示す右側曲げ領域Ａ２に収まる寸法に設定されており、より具体的には、右中央部Ａ２３及び右後部Ａ２２を概ね網羅する寸法を有している。
【００２４】
［一対の板部］
また図６に示す右フック部材４０は、断面Ｊ字をなすように曲げ返されており、長尺板部４１と短尺板部４２とを一体で有している。そして右フック部材４０は、その下端側の曲げ返し部分が、長尺板部４１（後述の基板部位４１ａ）と、長尺板部４１の下端から上方に曲げ返されている短尺板部４２とで形成されている。ここで長尺板部４１（後述の基板部位４１ａ）と短尺板部４２とは、自由状態において互いの内側面ＩＳ同士を対面させた状態で配置され、これら両板部４１，４２の間のクリアランスＣは、図１０に示すフロントフレーム１０の下周縁（係止部位１０ｃ）を配置可能な寸法に設定されている。そして右フック部材４０は、各板部４１，４２のいずれかを撓ませて互いに離間させることにより、フロントフレーム１０の下周縁（係止部位１０ｃ）から係脱可能とされている。
【００２５】
そして図６に示す長尺板部４１は、上下の寸法が相対的に大きい部位であり、上下方向の概ね中央を境として基板部位４１ａと可動板部位４１ｂとに区分けされている。これら基板部位４１ａと可動板部位４１ｂとは、溝状のインテグラルヒンジ４１ｃで連結されており、このインテグラルヒンジ４１ｃは、長尺板部４１の全長に渡って形成されている。そしてインテグラルヒンジ４１ｃを基点として、可動板部位４１ｂを、基板部位４１ａの外側面ＯＳに向けて折り返すことができ、折り返し状態の両板部位４１ａ，４１ｂの間には、図１０に示すようにシートカバー４Ｓの下端部を挟み付けることができる。なお折り返された可動板部位４１ｂの先端部４１１ｂは、後述する短尺板部４２の下側の湾曲形状に沿う向きに傾斜しており、シートカバー４Ｓの下端部を安定的に挟み付けておくことができる。また基板部位４１ａは、図６及び図１０を参照して、後述する短尺板部４２に対面配置される部分であり、その内側面ＩＳの下部には係止爪４１ｄが突出して形成されている。この係止爪４１ｄは、基板部位４１ａの全長に渡って形成された板状の部位である。そして係止爪４１ｄは、先端に向かうにつれて次第に下方に傾斜しており、右側曲げ領域Ａ２の係止部位１０ｃに係止することができる。そして短尺板部４２は、断面視で概ねＪ字をなす板状の部位であり、その下端部が、下方に向けて凸の湾曲形状をなして長尺板部４１の下端部につながって一体化されている。この短尺板部４２は、上下の寸法が基板部位４１ａに比して小さく剛性の低い部位であり、本発明の一対の板部のうちで剛性の低い一方に相当する。すなわち短尺板部４２は、相対的に低剛性で撓みやすい部位であり、その外側面ＯＳには後述の突出部４４が設けられている。そして長尺板部４１は、本発明の他方の板部に相当し、相対的に優れた剛性を有している。
【００２６】
［突出部］
図６に示す突出部４４は、図７〜図９に示すように右側切欠き部２０の前縁部２０ｂに係合可能な部位であり、長尺板部４１と短尺板部４２を離間させる際に持ち手として利用することもできる。この突出部４４は、図６に示すように短尺板部４２の全長に渡って形成された上方視で概ね矩形の板状部位であり、先端（後端）側の縁をなす先端縁４４ａと、前側の縁をなす前縁４４ｂと、後側の縁をなす後縁４４ｃとを有している。そして突出部４４は、短尺板部４２の外側面ＯＳの上部から突出し且つ先端縁４４ａに向かうにつれて次第に下方に傾斜している。ここで突出部４４の前後の突出寸法Ｌ１は、対応する切欠き部に係合可能である限り特に限定しないが、本実施例では、両板部４１，４２のクリアランスＣ以上に設定されて持ち手として好適に使用可能な寸法に設定されている。また図５に示す左フック部材５０も、曲げ返し部分が、別の長尺板部５１と別の短尺板部５２とで形成され、さらに別の短尺板部５２の外側面には別の突出部５４が設けられている。そして別の突出部５４も、図５に示すように短尺板部５２の全長に渡って形成された上方視で概ね矩形の板状部位であり、別の先端縁５４ａと、別の前縁５４ｂと、別の後縁５４ｃとを有している。
【００２７】
［フック部材の取付け作業］
図１〜図４を参照して、シートカバー４Ｓの前側の下端部に、左右一対のフック部材４０，５０をそれぞれ取付けておく。すなわち右フック部材４０を、シートカバー４Ｓの下端部右側に取付けて、フロントフレーム１０の右側曲げ領域Ａ２に係止可能に配置する。また左フック部材５０を、シートカバー４Ｓの下端部左側に取付けて、フロントフレーム１０の左側曲げ領域Ａ３に係止可能に配置する。ここで各フック部材４０，５０の取付け手法は概ね同一であるため、以下に右フック部材４０を一例にその取付け手法を説明する。この右フック部材４０の取付け作業に際しては、図２及び図１０を参照して、その長尺板部４１を折り曲げて、可動板部位４１ｂと基板部位４１ａの間にシートカバー４Ｓの下端部右側を挟み付けておく。そして可動板部位４１ｂと基板部位４１ａとこれらの間のシートカバー４Ｓ部分を縫合糸Ｙで縫合することにより、右フック部材４０が、シートカバー４Ｓの下端部右側に取付けられる。また図４に示す左フック部材５０も、同様の手法によって、シートカバー４Ｓの下端部左側に取付けることができる。
【００２８】
［シートカバーの被覆作業］
図２〜図４を参照して、シートフレーム４Ｆ上にシートパッド４Ｐを配置したのち、これらの着座面側をシートカバー４Ｓで被覆し、このときシートカバー４Ｓを適度に張った状態としておく。そしてシートカバー４Ｓの下端部を、仕上がり性を安定化させるために、各フック部材４０，５０を介してフロントフレーム１０の下周縁一部に位置決めしつつ係止する。この種のシート構成では、各フック部材４０，５０を、比較的シンプルな構成にてフロントフレーム１０の下周縁に位置決めしつつ係止しておくことが望まれ、とりわけシートフレーム４Ｆの構成が過度に複雑化しないことが望まれる。
【００２９】
そこで本実施例のフロントフレーム１０には、図４及び図５を参照して、その下周縁を着座面側に向けて部分的に切欠くことで形成された左右一対の切欠き部２０，３０が設けられている。またフロントフレーム１０に各フック部材４０，５０を係止した状態を基準として、各フック部材４０（５０）には、フロントフレーム１０側（シートフレーム側）に突出する突出部４４（５４）がそれぞれ設けられている。そして各突出部４４（５４）は、フロントフレーム１０の下周縁の延びる方向において対応する切欠き部２０（３０）の前縁部２０ｂ（３０ｂ）に係合可能に配置されている。すなわち本実施例では、各突出部４４（５４）を対応する切欠き部２０（３０）の前縁部２０ｂ（３０ｂ）に係合可能な状態で配置しておくことで、フロントフレーム１０に対する各フック部材４０，５０の位置決めがなされる。ここで右フック部材４０と左フック部材５０は、概ね同一の手法で対応する曲げ領域Ａ２，Ａ３と各切欠き部２０，３０に位置決めされて係止される。そこで以下に、右側曲げ領域Ａ２と右側切欠き部２０と右フック部材４０を一例にその係止手法と位置決め手法を具体的に説明する。
【００３０】
［フック部材の係止］
図６に示す自由状態の右フック部材４０は、平面視（上面視）において概ね直線状となっているが、図５に示す右側曲げ領域Ａ２に沿うように曲げ変形可能な可撓性を有している。そこで図７〜図９を参照して、右フック部材４０を、右側曲げ領域Ａ２の右中央部Ａ２３から右後部Ａ２２にかけての部分にあてがいつつ、右フック部材４０の後側（突出部４４の後縁４４ｃ）を右側のサイドフレーム１１に突き当てる。そして右側曲げ領域Ａ２の右後部Ａ２２側（係止部位１０ｃ）に、図９及び図１０に示すように右フック部材４０の後部側を係止させる。このとき右フック部材４０の後部側は、図９に示すように右側曲げ領域Ａ２の右後部Ａ２２に沿うように撓み変形した状態となる。そして図１０に示す右フック部材４０の曲げ返し部分をなす短尺板部４２と長尺板部４１の間に、右後部Ａ２２の係止部位１０ｃが配置される。この状態で係止部位１０ｃの上端側に長尺板部４１の係止爪４１ｄが係止されることにより、右フック部材４０が、右側曲げ領域Ａ２の右後部Ａ２２に係止された状態となる。なお図１０に示す係止状態の右フック部材４０の後部側では、フロントフレーム１０の下周縁を表裏から挟み付けるように各板部４１，４２が配置されている。そして短尺板部４２の突出部４４は、持ち手として利用可能なようにフロントフレーム１０の裏側に向けて突出した状態となっている。
【００３１】
［フック部材の位置決め］
また右フック部材４０の前部側は、図９に示すように平面視（上面視）において概ね直線状のまま、右側曲げ領域Ａ２の右中央部Ａ２３（図９で破線で示す部分）にあてがわれる。この右中央部Ａ２３は、平面視において前側の一般領域Ａ１に近づくにつれて次第に左側に曲がっている。このため右中央部Ａ２３に右フック部材４０の前部側をあてがった状態では、これらが前後方向に交差した状態で配置されることとなる。そして右中央部Ａ２３の下周縁部は、右側切欠き部２０にて凹状とされていることから、短尺板部４２を跨ぎながら、右フック部材４０の曲げ返し部分（４１，４２）から突出部４４に向けて曲がっていく。こうして突出部４４の前縁４４ｂには、右側切欠き部２０の前縁部２０ｂが隣接して配置され、これにより右側切欠き部２０に突出部４４が係合可能な位置に配置されることとなる。なお右側切欠き部２０に突出部４４が係合可能な位置に配置するとは、これらを隣接して（予め係合させて）配置する場合のほか、これらを近接して配置する場合を含む趣旨である。例えば右側切欠き部２０の前縁部２０ｂと突出部４４の前縁４４ｂとの間に、設計誤差等が原因となって若干の隙が生じることがある。このような若干の隙（設計誤差又はそれに類する隙）をあけて右側切欠き部２０に突出部４４が近接した場合、これらは比較的速やかに係合すると予想されることから係合可能な位置に配置されているとみなすことができる。
【００３２】
そして図７〜図９に示す右フック部材４０が、シートカバー４Ｓのテンションなどで、一般領域Ａ１側である前側に動こうとすることがある。このとき本実施例では、図９及び図１１を参照して、右フック部材４０の動きを、右側切欠き部２０と突出部４４の係合によって極力阻止することができ、右フック部材４０を、右側曲げ領域Ａ２の適所に位置決めして配置しておくことができる。こうして本実施例では、比較的構成がシンプルな右側切欠き部２０を利用して右フック部材４０の位置決めがなされるため、フロントフレーム１０の構成を極力シンプル化することができる。さらに本実施例では、右側曲げ領域Ａ２に右側切欠き部２０を設けて、この右側切欠き部２０を、右フック部材４０の曲げ返し部分（４１，４２）から突出部４４に向かう方向に曲げている。こうすることで右フック部材４０の突出部４４を、右側曲げ領域Ａ２の曲がりを利用して右側切欠き部２０の前縁部２０ｂに当接可能に配置でき、右側切欠き部２０と突出部４４をより確実に係合させることが可能となっている。
【００３３】
また図４及び図５に示す左フック部材５０も、右フック部材４０と同様の手法で左側曲げ領域Ａ３の左後部Ａ３２に係止させておく。さらに左側曲げ領域Ａ３の左中央部Ａ３３において、左フック部材５０の別の突出部５４の別の前縁５４ｂを、左側切欠き部３０の別の前縁部３０ｂに隣接等させておく。こうすることで左フック部材５０が、一般領域Ａ１側である前側に動こうとしても、その動きが左側切欠き部３０と別の突出部５４の係合によって極力阻止されることとなる。こうして本実施例では、フロントフレーム１０に右側切欠き部２０と左側切欠き部３０を設け、各切欠き部２０（３０）に、シートカバー４Ｓの対応するフック部材４０（５０）が係止されて位置決めされる。このようにシートカバー４Ｓの左右端側を各フック部材４０（５０）にて位置決めしておくことで、シートカバー４Ｓの左右方向中央に適度なテンションをかけて張った状態としておくことができ、仕上がり性の向上に資する構成となる。なおシートカバー４Ｓの左右方向中央の下端部は、図示しないＪフックを介してフロントフレーム１０の一般領域Ａ１の下周縁に係止したり、シートフレーム４Ｆの下側に回り込ませて適宜の位置に係止したりすることができる。そして本実施例では、左右一対のフック部材４０，５０によって、シートカバー４Ｓの仕上がり性を安定化している。このため本実施例の構成によれば、各フック部材４０，５０を必要以上に長尺化する必要がなく、さらに図３に示すＪフックＦＭの使用量を低減することも可能となっている。
【００３４】
［フック部材の係脱］
ここで本実施例では、図４に示す各フック部材４０，５０を、概ね同一の手法でフロントフレーム１０から係脱させることが可能となっている。例えば図１０に示す右フック部材４０の係脱に際しては、長尺板部４１と短尺板部４２を互いに離れる方向に撓ませることで、フロントフレーム１０から右フック部材４０を係脱させることができる。そして本実施例では、相対的に剛性が低く撓みやすい短尺板部４２に突出部４４を設け、この突出部４４を持ち手として、長尺板部４１から離れる方向に短尺板部４２をスムーズに撓み変形させることが可能となっている。すなわち突出部４４を後方に引っ張ることで、剛性の低い短尺板部４２を、長尺板部４１との連結箇所を基点として後方且下方にスムーズに撓ませることができる。このとき突出部４４が、フロントフレーム１０の後側で後方且つ下方に傾斜していることで、作業者がフロントフレーム１０の下側から掴みやすくなっており、操作性に優れる構成となっている。さらに本実施例では、比較的短尺な各フック部材４０，５０を用いているため、これら各フック部材４０，５０をフロントフレーム１０から比較的簡単に係脱させることが可能である。このため本実施例によれば、シートカバー４Ｓの仕上がり性を考慮して各フック部材４０，５０を付け直す際に、各フック部材４０，５０をスムーズに係脱させることが可能となり、シートカバー４Ｓの優れた仕上がり性の確保に資する構成となる。また各フック部材４０，５０をスムーズに係脱可能な構成とすることで、メンテナンス作業やシートカバー４Ｓの付け変え作業の作業性向上に資する構成ともなっている。なお公知技術のように長尺なフック部材を設け、さらに持ち手となる部分がない場合には、フック部材の係脱に手間取る構成となりがちである。
【００３５】
以上説明した通り本実施例では、各フック部材４０（５０）の突出部４４（５４）を各切欠き部２０（３０）の前縁部２０ｂ（３０ｂ）に係合可能な状態で配置することにより、フロントフレーム１０に対する各フック部材４０，５０の位置決めがなされる。そして本実施例では、フロントフレーム１０に比較的構成がシンプルな各切欠き部２０（３０）を設け、この各切欠き部２０（３０）を利用して各フック部材４０（５０）の位置決めがなされるため、フロントフレーム１０の構成を極力シンプル化することができる。このため本実施例によれば、シートカバー４Ｓの端部に取付けられている各フック部材４０，５０を、比較的シンプルな構成によって、フロントフレーム１０の周縁に位置決めしつつ係止しておくことができる。
【００３６】
さらに本実施例では、各突出部４４（５４）を持ち手として一対の板部４１，４２（５１，５２）を離間させることにより、フロントフレーム１０の周縁から各フック部材４０（５０）を係脱可能な構成となっている。そして各突出部４４（５４）を相対的に剛性が低く撓みやすい各短尺板部４２（５２）に設けたことで、この各短尺板部４２（５２）をスムーズに撓ませて各長尺板部４１（５１）から離間させることができる。また本実施例では、フロントフレーム１０の（シート幅方向）両端に各切欠き部２０，３０をそれぞれ設け、各切欠き部２０（３０）に、シートカバー４Ｓの対応する各フック部材４０（５０）が係止されて位置決めされている。このようにシートカバー４Ｓの両端を対応する各フック部材４０，５０にて位置決めしておくことで、両フック部材４０，５０の間に配置されたシートカバー４Ｓの中央部分に適度なテンションをかけておくことが可能となり、仕上がり性の向上に資する構成となっている。また本実施例では、フロントフレーム１０の各曲げ領域Ａ２（Ａ３）に各切欠き部２０（３０）が設けられている。これら各切欠き部２０（３０）は、各フック部材４０（５０）の曲げ返し部分から各突出部４４（５４）に向かう方向に曲がっている。そして各フック部材４０（５０）の突出部４４（５４）を、フロントフレーム１０の曲がりを利用して各切欠き部２０（３０）の中央領域側の前縁部２０ｂ（３０ｂ）に当接可能に配置することで、各切欠き部２０（３０）と各突出部４４（５４）をより確実に係合させることが可能となっている。
【００３７】
［変形例１］
ここでフック部材の構成は、上述の構成のほか、各種の構成をとり得る。例えば図１２に示す変形例１のフック部材４０Ａは、実施例と概ね同一の基本構成を有しているが、別体の突出部４４Ａを着脱可能に取付けることができる点が実施例と異なっている。すなわちフック部材４０Ａは、基本構成として長尺板部４１と短尺板部４２Ａを有し、さらに短尺板部４２Ａの外側面には、一対の案内凸部４６ａ，４６ｂと、これらの間に形成された凹み部分４６ｃとがレール状に設けられている。これら各案内凸部４６ａ，４６ｂは、短尺板部４２Ａの外側面から突出する板状の部位であり、断面円形状をなしている先端側に、後述する突出部４４Ａの係止板部４５を係止しておくことができる。そして各案内凸部４６ａ，４６ｂは、上下に適宜の間隔をあけた状態で、短尺板部４２Ａの全長に渡って連続的に形成することができ、これらの間に形成された凹み部分４６ｃも、短尺板部４２Ａの全長に渡って連続的に形成されている。
【００３８】
また突出部４４Ａ（本体部分）の基本的な構成は実施例と同様であるが、この突出部４４Ａの根本側には、縦板状の係止板部４５が一体的に設けられている。この係止板部４５は、一対の案内凸部４６ａ，４６ｂの間に挟み付けられた状態で、両案内凸部４６ａ，４６ｂの間の凹み部分４６ｃに摺動可能な状態で対面配置される。そして本変形例では、突出部４４Ａを後方に向けつつ、その前側の係止板部４５を、一対の案内凸部４６ａ，４６ｂの端側から差し込んで短尺板部４２Ａの延長方向にスライドさせていく。そして一対の案内凸部４６ａ，４６ｂによって係止板部４５が把持されて係止されることにより、短尺板部４２Ａに突出部４４Ａを取付けておくことができる。本変形例のフック部材４０Ａでは、切欠き部に位置決めする必要がある場合に、短尺板部４２Ａに突出部４４Ａを取付けておく。また位置決めを要さない場合には、短尺板部４２Ａから突出部４４Ａを取外しておくことができ、この場合のフック部材４０Ａは、従来のＪフックとして使用できる。
【００３９】
［変形例２］
また図１３に示す変形例２のフック部材４０Ｂは、短尺板部４２Ｂと長尺板部４１Ｂとを有しているが、長尺板部４１Ｂの厚みが、短尺板部４２Ｂよりも小さくされて剛性が低下している。そこで本変形例では、長尺板部４１Ｂに突出部４４Ｂを設け、この突出部４４Ｂを、対応する切欠き部の縁に係合可能な位置に配置することが可能となっている。そしてフック部材４０Ｂは、例えば短尺板部４２Ｂをシートフレーム４Ｆの前側に配置し、長尺板部４１Ｂをシートフレーム４Ｆの裏側に配置した状態で係止することができる。
【００４０】
本実施形態の乗物用シート２は、上述した実施形態に限定されるものではなく、その他各種の実施形態を取り得る。本実施形態では、フック部材４０等の構成（形状，寸法，係止位置，配置数など）を例示したが、フック部材の構成を限定する趣旨ではない。例えばフック部材は、フロントフレームやサイドフレームなどの各種のシートフレーム部分に位置決めして係止しておくことができ、例えばフロントフレームの左右端や中央などの適宜の位置に位置決めすることが可能である。そしてフック部材は、シートカバーの適宜の位置に複数又は単数取付けておくことができ、従来のＪフックの代わりに用いることが可能である。またシートカバーは、一対の板部のいずれかに対して接着や融着や縫合などの手法や、クリップやステープルやボルトなどの別部材を介して取り付けることができ、一対の板部の構成も適宜変更可能である。またフック部材は、Ｊ字状のほか、Ｕ字状やＶ字状等の各種の断面形状を取り得るとともに、自由状態において少なくとも一部分（例えば後部）が平面視で曲がっていてもよい。
【００４１】
また本実施形態では、突出部４４等の構成を例示したが、突出部の構成を限定する趣旨ではない。例えば突出部は、対応する板部の全長にわたって連続的に形成されていてもよく、断続的に形成されていてもよい。また突出部の先端縁に切欠きや貫通孔を設けて撓みやすくすることで、フック部材の撓み変形を助長することができる。また突出部は、フック部材の側面（例えば図６の前側面）に設けることもできる。また別体の突出部は、変形例１のように板状の部材のほか、ボルト状などの棒状部材で構成することもでき、棒状部材は、対応する板部の挿通孔に挿通して固定しておくことができる。また突出部は、一対の板部のいずれかに設けることができ、必ずしも剛性の低い板部に設ける必要はない。また突出部に、持ち手としての索状の部材を取り付けることも可能である。また実施例と各変形例のフック部材の構成は適宜組み合わせて用いることが可能である。
【００４２】
また本実施形態では、切欠き部２０等の構成を例示したが、切欠き部の構成を限定する趣旨ではない。例えば一対の切欠き部をシートフレームに設け、これら両切欠き部の間にフック部材を係止する。そしてフック部材の突出部の両縁を対応する切欠き部の縁に係合して位置決めすることも可能である。また切欠き部は、シートカバー及びフック部材の構成に応じてシートフレーム（一般領域や曲げ領域）の適宜の位置に複数又は単数設けることが可能である。なお切欠き部の形状や寸法は適宜設定可能であり、複数の切欠き部を設ける場合には、各切欠き部の形状や寸法をそれぞれ独立に設定することができる。なおシートフレームの係止部位は、その下周縁を曲げることで形成することができ、その下周縁の一部を切り起こすことでも形成できる。
【００４３】
また本実施形態では、シートクッション４を一例に説明したが、本実施例の構成は、シートバックやアームレストやヘッドレストなどの各種シート構成部材に適用できる。そしてシートフレームとシートパットとシートカバーの構成は、適用されるべきシート構成部材に応じて適宜変更可能である。また乗物用シートの構成も適宜変更可能であり、本実施形態の構成は、車両や航空機や電車や船舶などの乗物用シート全般に適用できる。
【符号の説明】
【００４４】
２     乗物用シート
４     シートクッション
６     シートバック
８     ヘッドレスト
４Ｓ   シートカバー
４Ｐ   シートパッド
４Ｆ   シートフレーム
１０   フロントフレーム
１０ａ 上面部
１０ｂ 前面部
１０ｃ 係止部位
Ａ１   一般領域
Ａ２   右側曲げ領域（本発明の曲げ領域）
Ａ２１ 右前部
Ａ２２ 右後部（本発明の曲げ領域の延長方向における端部）
Ａ２３ 右中央部（本発明の切欠き部の形成されたシートフレームの周縁部分）
Ａ３   左側曲げ領域（本発明の曲げ領域）
Ａ３１ 左前部
Ａ３２ 左後部（本発明の曲げ領域の延長方向における端部）
Ａ３３ 左中央部（本発明の切欠き部の形成されたシートフレームの周縁部分）
１１，１２    サイドフレーム
１３   リアフレーム
２０   右側切欠き部（本発明の第一の切欠き部）
２０ａ 上縁部
２０ｂ 前縁部（本発明の切欠き部の一般領域側の縁）
２０ｃ 後縁部
３０   左側切欠き部（本発明の第二の切欠き部）
３０ａ 別の上縁部
３０ｂ 別の前縁部（本発明の切欠き部の一般領域側の縁）
３０ｃ 別の後縁部
４０   右フック部材（本発明の一対のフック部材の一方）
ＩＳ   内側面
ＯＳ   外側面
４１   長尺板部（本発明の他方の板部）
４１ａ 基板部位
４１ｂ 可動板部位
４１１ｂ      先端部
４１ｃ インテグラルヒンジ
４１ｄ 係止爪
４２   短尺板部（本発明の一対の板部のうちで剛性の低い一方）
４４   突出部
４４ａ 先端縁
４４ｂ 前縁
４４ｃ 後縁
５０   左フック部材（本発明の一対のフック部材の他方）
５１   長尺板部
５２   短尺板部
５４   突出部
５４ａ 別の先端縁
５４ｂ 別の前縁
５４ｃ 別の後縁
４０Ａ 変形例１のフック部材
４２Ａ 短尺板部
４４Ａ 突出部
４５   係止板部
４６ａ，４６ｂ       案内凸部
４６ｃ 凹み部分
４０Ｂ 変形例２のフック部材
４１Ｂ 長尺板部
４２Ｂ 短尺板部
４４Ｂ 突出部
ＦＭ   Ｊフック
Ｙ     縫合糸
【図１】
2020137936.tif 000003
【図２】
2020137936.tif 000004
【図３】
2020137936.tif 000005
【図４】
2020137936.tif 000006
【図５】
2020137936.tif 000007
【図６】
2020137936.tif 000008
【図７】
2020137936.tif 000009
【図８】
2020137936.tif 000010
【図９】
2020137936.tif 000011
【図１０】
2020137936.tif 000012
【図１１】
2020137936.tif 000013
【図１２】
2020137936.tif 000014
【図１３】
2020137936.tif 000015